(57)【要約】【課題】凍結が起こり易い場合に吐水装置や吐水装置の上流側の配管の凍結を防止することができる吐水装置の凍結防止プログラムを提供する。【解決手段】吐水装置の凍結防止プログラムは吐水装置１１を設置した地域を入力する入力部と、地域の気温データを取得するデータ受信部と、気温データに基づいて、吐水装置１１が凍結するか否かを予測する予測部としてコンピュータ１００を機能させる。【選択図】図１
2020148017.tif 000002
【特許請求の範囲】
【請求項１】
吐水装置を設置した地域を入力する入力部と、前記地域の気温データを取得するデータ受信部と、前記気温データに基づいて、前記吐水装置が凍結するか否かを予測する予測部としてコンピュータを機能させることを特徴とする吐水装置の凍結防止プログラム。
【請求項２】
前記吐水装置は、開閉弁と、前記開閉弁が設けられた給水路と、前記給水路から供給された水を吐水する吐水部と、前記開閉弁を制御する制御部と、を備え、
前記制御部は、所定の条件が成立すると前記開閉弁を開き、前記吐水部から吐水する自己吐水モードを実行するものであって、
前記予測部が前記吐水装置の凍結を予測すると、前記自己吐水モードの実行を指示する指示部として前記コンピュータを機能させることを特徴とする請求項１に記載の吐水装置の凍結防止プログラム。
【請求項３】
前記指示部は、複数の前記吐水装置のそれぞれの前記制御部に前記自己吐水モードの実行を指示することを特徴とする請求項２に記載の吐水装置の凍結防止プログラム。
【請求項４】
前記予測部が前記吐水装置の凍結を予測すると、前記吐水装置が凍結する予測であることを報知する報知部として前記コンピュータを機能させることを特徴とする請求項１から請求項３のいずれか１項に記載の吐水装置の凍結防止プログラム。
【発明の詳細な説明】
【技術分野】
【０００１】
本発明は、吐水装置の凍結防止用プログラムに関する。
【背景技術】
【０００２】
特許文献１には凍結を防止することができる湯水混合装置が開示されている。この湯水混合装置は、水の温度が所定の温度以下になると、制御器によって湯と水とが所定の比率で混合された混合水を吐水することによって、凍結を防止することができる。
【先行技術文献】
【特許文献】
【０００３】
【特許文献１】特開平２−３７２２９号公報
【発明の概要】
【発明が解決しようとする課題】
【０００４】
しかし、特許文献１の湯水混合装置を室内に設置した場合、室内は温かい状態が保持されるため、湯水混合装置が凍結することは考え難い。一方、この湯水混合装置の上流側の配管は室外に配置される場合が多いと考えられる。この場合、冬期には湯水混合装置の上流側の配管が凍結するおそれがある。つまり、この湯水混合装置は、上流側の配管が凍結することを防止することができない。
【０００５】
本発明は、上記従来の事情に鑑みてなされたものであって、凍結の予測を行うことによって、凍結する予測の場合に吐水装置や吐水装置の上流側の配管の凍結を防止することができる吐水装置の凍結防止プログラムを提供することを解決すべき課題としている。
【課題を解決するための手段】
【０００６】
本発明の吐水装置の凍結防止プログラムは、吐水装置を設置した地域を入力する入力部と、前記地域の気温データを取得するデータ受信部と、前記気温データに基づいて、前記吐水装置が凍結するか否かを予測する予測部としてコンピュータを機能させることを特徴とする。
【０００７】
この吐水装置の凍結防止プログラムは吐水装置が凍結するか否かを予測することができる。これにより、例えば、凍結しない予測の場合には、吐水装置や吐水装置の上流側の配管に対して凍結しないように対策をとらずに済み、凍結する予測の場合には吐水装置や吐水装置の上流側の配管に対して凍結しないように予め対策をとる機会を設けることができる。
【０００８】
したがって、本発明の吐水装置の連結防止プログラムは凍結の予測を行うことによって凍結する予測の場合に吐水装置や吐水装置の上流側の配管の凍結を防止することができる。
【図面の簡単な説明】
【０００９】
【図１】図１は、実施例１の吐水装置の凍結防止プログラムが実装されるコンピュータを示す機能ブロック図である。
【図２】図２は、コンピュータで実施例１の吐水装置の凍結防止プログラムを動作させて吐水装置の凍結を演算して予測する手順を示すフローチャートである。
【図３】図３は、予想気温データの概略図である。
【図４】図４は、ディスプレイに表示される予想気温データの概略図であって、経過時間のそれぞれに凍結するか否かを示す表示を紐づけして表示した状態である。
【図５】図５は、吐水装置を示す断面図、及び実施例１の吐水装置の凍結防止プログラムが実装されるコンピュータの概略図である。
【図６】図６は、吐水装置の制御部の動作を示すフローチャートである。
【図７】図７は、コンピュータの通信インタフェースから複数の吐水装置の制御部に対して自己吐水実行開始時間データを送信する概略図である。
【発明を実施するための形態】
【００１０】
本発明における好ましい実施の形態を説明する。
【００１１】
吐水装置は、開閉弁と、開閉弁が設けられた給水路と、給水路から供給された水を吐水する吐水部と、開閉弁を制御する制御部とを備え、制御部は、所定の条件が成立すると開閉弁を開き、吐水部から吐水する自己吐水モードを実行するものである。
本発明の吐水装置の凍結防止プログラムは、予測部が吐水装置の凍結を予測すると、自己吐水モードの実行を指示する指示部としてコンピュータを機能させ得る。この場合、この吐水装置の凍結防止プログラムは、吐水装置が凍結するか否かの予測に基づいて、吐水装置に自己吐水モードの実行を指示することができる。
【００１２】
本発明の吐水装置の凍結防止プログラムの指示部は、複数の吐水装置のそれぞれの制御部に自己吐水モードの実行を指示し得る。この場合、この吐水装置の凍結防止プログラムは、パブリック用（公衆用）として、吐水装置が複数併設されている場合、各吐水装置の制御部に一括して自己吐水モードの実行を指示することができる。
【００１３】
本発明の吐水装置の凍結防止プログラムは、予測部が吐水装置の凍結を予測すると、吐水装置が凍結する予測であることを報知する報知部としてコンピュータを機能させ得る。この場合、この吐水装置の凍結防止プログラムは吐水装置が凍結する予測であることを報知部で報知することができる。このため、吐水装置の使用者は、報知部からの報知を把握することによって、吐水装置が凍結しないように予め対策をとることができる。
【００１４】
次に、本発明の吐水装置の凍結防止プログラムが実装されるコンピュータを具体化した実施例１について、図面を参照しつつ説明する。
【００１５】
＜実施例１＞
＜コンピュータの全体構成＞
コンピュータ１００は、図１に示すように、制御回路５１、入力インタフェース５２、ディスプレイ５３、メモリ５４、及び通信インタフェース５５等を備えている。コンピュータ１００は、例えば、タブレット端末、スマートフォン、ノートＰＣ、又はデスクトップ型のコンピュータ等として構成される。
制御回路５１は実施例１の吐水装置の凍結防止プログラムを実行する。
入力インタフェース５２は、使用者による指示入力を制御回路５１に伝達する。入力インタフェース５２は、マウス、キーボード、又はタッチパッド等であってもよい。
【００１６】
ディスプレイ５３は、制御回路５１により生成される画面を表示する。ディスプレイ５３は、液晶表示装置、有機ＥＬ表示装置などであってもよい。入力インタフェース５２及びディスプレイ５３は、タッチパネルとして実装されてもよい。
【００１７】
メモリ５４は、制御回路５１により使用されるプログラム、データなどを記憶する。メモリ５４は、半導体メモリ、ハードディスクなどであってもよい。
【００１８】
通信インタフェース５５は、他の装置との間の通信を制御する。通信インタフェース５５は有線又は無線の任意の通信方式により通信を行ってもよい。
【００１９】
制御回路５１は、入力機能５１１、受信機能５１２、予測機能５１３、指示機能５１４、及び報知機能５１５を実現する。これらの構成は、ハードウエア的には、任意のコンピュータのＣＰＵ、メモリ、その他のＬＳＩなどにより実現され、ソフトウエア的にはメモリ５４にロードされたプログラムなどによって実現されるが、ここではそれらの連携によって実現される機能ブロックを描いている。したがって、これらの機能ブロックがハードウエアのみ、又はハードウエアとソフトウエアの組合せなど、いろいろな形で実現できることは、当業者には理解されるところである。
制御回路５１は、予測機能５１３によってプログラムを実行し、プログラムの実行によって、入力インタフェース５２で入力された情報に基づいて、後述する吐水装置１１を設置した地域において、吐水装置が凍結するか否かを演算して予測する予測部として機能する。
【００２０】
入力インタフェース５２は、制御回路５１の入力機能５１１によって、吐水装置１１を設置した地域をコンピュータ１００に入力する入力部として機能する。
【００２１】
ディスプレイ５３は、制御回路５１の報知機能５１５によって、制御回路５１で実行されたプログラムの演算結果を表示して報知する報知部として機能する。
【００２２】
メモリ５４は、実施例１のプログラムを記憶し得る構成とされている。
【００２３】
通信インタフェース５５は、制御回路５１の受信機能５１２によって、吐水装置１１を設置した地域の気温データを取得するデータ受信部として機能する。
通信インタフェース５５は、制御回路５１の指示機能５１４によって、後述する自己吐水モードの実行を指示する指示部として機能する。
【００２４】
＜プログラムの動作の説明＞
次に、コンピュータ１００において、プログラムを動作させて、吐水装置１１が凍結するか否かを演算して予測する手順の一例について図２等を参照しつつ説明する。
【００２５】
先ず、コンピュータ１００において、メモリ５４に記憶されたプログラムを制御回路５１に読み込みプログラムを起動する。そして、吐水装置１１を設置した地域を入力する（ステップＳ１１）。具体的には、入力インタフェース５２を制御回路５１の入力機能５１１によって入力部として機能させて吐水装置１１を設置した地域を入力する。
地域を入力する形態の一例を示す。先ず、制御回路５１が有する報知機能５１５によって、ディスプレイ５３に都道府県を選択する第１選択画面を表示する（図示せず。）。そして第１選択画面において都道府県が選択された後、市町村を選択する第２選択画面を表示して、市町村を選択する（図示せず。）。こうして、制御回路５１に選択した地域の情報を入力する。
【００２６】
次に、ステップＳ１１において入力された地域の気温データを取得する（ステップＳ１２）。具体的には、通信インタフェース５５を制御回路５１の受信機能５１２によってデータ受信部として機能させて吐水装置１１を設置した地域の気温データを取得する。
吐水装置１１を設置した地域の気温データを取得する形態の一例を示す。ステップＳ１１において入力された地域が含まれる最小範囲の地域における予想気温データを取得する。予想気温データ３０は、例えば、インターネットやデータ放送等に公開されている天気予報において現在から所定時間（例えば１時間）毎の予想気温３０Ａが複数個まとめられたものである（図３参照。）。各予想気温３０Ａには現在からの経過時間３０Ｂが紐づけられている（図３参照。）。
【００２７】
次に、吐水装置１１が凍結するか否かを予測する（ステップＳ１３）。具体的には、制御回路５１が予測機能５１３によって予測部として機能して、吐水装置１１が凍結するか否かを予測する。
吐水装置１１が凍結するか否かについて予測する形態の一例を示す。制御回路５１は取得した予想気温データ３０の経過時間毎のそれぞれの予想気温が０℃以下であるかを判別する。制御回路５１は予想気温が０℃より高いと判別すると、この予想気温に紐づけられた経過時間には吐水装置１１は凍結しないと判別する。制御回路５１は予想気温が０℃以下であると判別すると、この予想気温に紐づけられた経過時間が経過すると吐水装置１１が凍結すると予測する。例えば、図３に示す予想気温データ３０では、経過時間３０Ｂが１時間から５時間までは予想気温３０Ａが０℃より高いため、吐水装置１１は凍結しないと判別する。そして、経過時間３０Ｂが６時間と７時間は予想気温が０℃以下であるため、現在から６時間及び７時間経過すると吐水装置１１が凍結すると判別する。
【００２８】
次に、吐水装置１１に自己吐水モードの実行を指示する（ステップＳ１４）。具体的には、制御回路５１が吐水装置１１の凍結を予測すると、通信インタフェース５５を制御回路５１の指示機能５１４によって指示部として機能させて、吐水装置１１に自己吐水モードの実行を指示する。
吐水装置１１に自己吐水モードの実行を指示する形態の一例を示す。予想気温データ３０において予想気温が０℃以下になる最も早い経過時間の直前の時間（以下、直前時間ともいう）に、吐水装置１１における自己吐水モードの制御の実行を開始するように指示する。例えば、図３に示す予想気温データ３０では、予想気温が０℃以下になる最も早い経過時間３０Ｂは６時間であり、直前時間は５時間である。
【００２９】
通信インタフェース５５は吐水装置１１の後述する制御部１１Ｄに向けて、自己吐水実行開始時間データを送信する（図５参照。）。例えば自己吐水実行開始時間データは、直前時間を示すデータである。吐水装置１１の制御部１１Ｄは、自己吐水実行開始時間データを取得すると、直前時間を把握し、現在から直前時間経過すると自己吐水モードを実行する。
パブリック用として複数の吐水装置１１が併設されている場合、通信インタフェース５５は各吐水装置１１の制御部１１Ｄに自己吐水実行開始時間データを送信し得る構成とされている（図７参照。）。つまり、通信インタフェース５５は、複数の吐水装置１１のそれぞれの制御部１１Ｄに自己吐水モードの実行を指示する。
【００３０】
次に、吐水装置１１が凍結する予測であることを報知する（ステップＳ１５）。具体的には、ディスプレイ５３を制御回路５１の報知機能５１５によって報知部として機能させ、吐水装置１１が凍結する予測であることを報知する。
吐水装置１１が凍結する予測であることを報知する一例を示す。ステップＳ１３において、吐水装置１１が凍結するか否かを制御回路５１が予測した結果をディスプレイ５３に表示する。例えば、図４に示すように、経過時間３０Ｂのそれぞれに凍結するか否かを示す表示３０Ｃを紐づけしてディスプレイ５３に表示する。つまり、制御回路５１が吐水装置１１の凍結を予測すると、吐水装置１１が凍結する予測であることを報知する報知部としてコンピュータ１００のディスプレイ５３を機能させる。吐水装置１１の使用者は、この表示を見ることによって、吐水装置１１が凍結する予測を把握し、これによって、吐水装置１１や吐水装置１１上流側の配管が凍結しないように対策をとることができる。
【００３１】
＜吐水装置の全体構成＞
次に、吐水装置１１の構成について図を参照しつつ説明する。
吐水装置１１は、図５に示すように、例えば、洗面台１に設けられた構成をなしている。洗面台１は、洗面ボウル１０、及び吐水装置１１を備えている。洗面台１は、パブリック用として用いることができ、この場合、複数が併設される。
【００３２】
洗面ボウル１０は下方に窪んで形成されている。洗面ボウル１０の底部には、洗面ボウル１０から水を排出する排水口１０Ａが貫通して形成されている。排水口１０Ａの下端には排水路１０Ｂが連通して連結されており下方に延びている。
【００３３】
吐水装置１１は、吐水部１１Ａ、給水路１１Ｂ、開閉弁１１Ｃ、及び制御部１１Ｄを備えている。
吐水部１１Ａは洗面ボウル１０の上端の周縁近傍に設けられている。給水路１１Ｂは吐水部１１Ａに連結されている。吐水部１１Ａは給水路１１Ｂから供給された水を洗面ボウル１０に吐水する。給水路１１Ｂの上流側には給水路１１Ｂに水を供給する配管が連結されている（図示せず。）。この配管は主に建物の外部に設置される。開閉弁１１Ｃは給水路１１Ｂに設けられている。開閉弁１１Ｃは後述する制御部１１Ｄによって開閉の制御がされる。吐水部１１Ａの先端にはセンサ１１Ｅが設けられている。
【００３４】
制御部１１Ｄは、例えば、マイクロコンピュータ等で構成されている。制御部１１Ｄは、センサ１１Ｅに使用者の体の一部が近づくと使用者の体の一部が近づいたことを認識し、開閉弁１１Ｃを開弁して洗面ボウル１０に吐水する。制御部１１Ｄは、センサ１１Ｅに近づいた使用者の体の一部がセンサ１１Ｅから離れると使用者の体の一部が離れたことを認識し、開閉弁１１Ｃを閉弁する。つまり、制御部１１Ｄは開閉弁１１Ｃの開閉を制御する。
制御部１１Ｄは受信部１１Ｆを有している。受信部１１Ｆはコンピュータ１００の通信インタフェース５５から送信された自己吐水実行開始時間データ等のデータを受信し得る構成とされている。
【００３５】
制御部１１Ｄには建物の外部の温度を検知する温度検知部１１Ｇが電気的に接続されている。温度検知部１１Ｇは、建物の外部に設置されており、設置された場所の温度に対応する電気信号を制御部１１Ｄに出力することができる。制御部１１Ｄは温度検知部１１Ｇから入力される電気信号に基づいて建物の外部の温度を常に監視し得る構成とされている。吐水装置１１の制御部１１Ｄは、温度検知部１１Ｇから入力される電気信号に基づいて所定の条件が成立するか否かを判別し、所定の条件が成立すると、吐水装置１１が凍結しないようにするために自動的に開閉弁１１Ｃを開き、吐水部１１Ａから吐水する自己吐水モードを実行し得る構成とされている。
【００３６】
＜制御部の動作＞
次に、制御部１１Ｄにおける動作の一例について図６等を参照しつつ説明する。
先ず、制御部１１Ｄは、ステップＳ１において、自己吐水モードの実行開始時間に到達したかを判別する。具体的には、制御部１１Ｄは通信インタフェース５５から取得した自己吐水実行開始時間データに基づいて、自己吐水モードの実行を開始する時間を把握する。例えば、制御部１１Ｄは時間を計測するタイマーが実装されており、自己吐水モードの実行を開始する時間をカウントし得る構成とされている。制御部１１Ｄは、ステップＳ１において自己吐水モードの実行を開始する時間でないと判別する（ステップＳ１におけるＮｏ）と、処理を終了する。
【００３７】
次に、制御部１１Ｄは、ステップＳ１において自己吐水モードの実行を開始する時間であると判別する（ステップＳ１におけるＹｅｓ）とステップＳ２に移行して、建物の外部の温度が０℃以下であるかを判別する。ステップＳ２において、建物の外部の温度が０℃より高いと判別する（ステップＳ２におけるＮｏ）と処理を終了する。
【００３８】
ステップＳ２において、建物の外部の温度が０℃以下であると判別する（ステップＳ２におけるＹｅｓ）と、ステップＳ３に移行して、建物の外部の温度が−３℃以下であるかを判別する。ステップＳ３において、建物の外部の温度が−３℃より高いと判別する（ステップＳ３におけるＮｏ）と、ステップＳ４に移行して自己吐水モードである第１自己吐水モードを実行する。第１自己吐水モードは１５分毎に制御部１１Ｄが開閉弁１１Ｃを開弁し、吐水部１１Ａから５秒間吐水し開閉弁１１Ｃを閉弁する。
【００３９】
ステップＳ３において、建物の外部の温度が−３℃以下であると判別する（ステップＳ３におけるＹｅｓ）と、ステップＳ５に移行して、建物の外部の温度が−５℃以下であるかを判別する。ステップＳ５において、建物の外部の温度が−５℃より高いと判別する（ステップＳ５におけるＮｏ）と、ステップＳ６に移行して自己吐水モードである第２自己吐水モードを実行する。第２自己吐水モードは３分毎に制御部１１Ｄが開閉弁１１Ｃを開弁し、吐水部１１Ａから５秒間吐水し開閉弁１１Ｃを閉弁する。
【００４０】
ステップＳ５において、建物の外部の温度が−５℃以下であると判別する（ステップＳ５におけるＹｅｓ）と、ステップＳ７に移行して自己吐水モードである第３自己吐水モードを実行する。第３自己吐水モードは１分毎に制御部１１Ｄが開閉弁１１Ｃを開弁し、吐水部１１Ａから５秒間吐水し開閉弁１１Ｃを閉弁する。
【００４１】
このように、吐水装置の凍結防止プログラムは吐水装置１１が凍結するか否かを予測することができる。これにより、凍結しない予測の場合には、吐水装置１１や吐水装置１１の給水路１１Ｄの上流側の配管に対して凍結しないように対策をとらずに済み、凍結する予測の場合には吐水装置１１や吐水装置１１の給水路１１Ｄの上流側の配管に対して凍結しないように予め対策をとる機会を設けることができる。
【００４２】
したがって、この吐水装置の連結防止プログラムは凍結の予測を行うことによって凍結する予測の場合に吐水装置１１や吐水装置１１の上流側の配管の凍結を防止することができる。
【００４３】
吐水装置１１は、開閉弁１１Ｃと、開閉弁１１Ｃが設けられた給水路１１Ｂと、給水路１１Ｂから供給された水を吐水する吐水部１１Ａと、開閉弁１１Ｃを制御する制御部１１Ｄとを備え、制御部１１Ｄは、所定の条件が成立すると開閉弁１１Ｃを開き、吐水部１１Ａから吐水する自己吐水モードを実行するものである。
吐水装置の凍結防止プログラムは、予測部が吐水装置１１の凍結を予測すると、自己吐水モードの実行を指示する指示部としてコンピュータ１００を機能させる。このため、この吐水装置の凍結防止プログラムは、吐水装置１１が凍結するか否かの予測に基づいて、吐水装置１１に自己吐水モードの実行を指示することができる。
【００４４】
吐水装置の凍結防止プログラムの指示部は、複数の吐水装置１１のそれぞれの制御部１１Ｄに自己吐水モードの実行を指示する。このため、この吐水装置の凍結防止プログラムは、パブリック用として、吐水装置１１が複数併設されている場合、各吐水装置１１の制御部１１Ｄに一括して自己吐水モードの実行を指示することができる。
【００４５】
吐水装置の凍結防止プログラムは、予測部が吐水装置１１の凍結を予測すると、吐水装置１１が凍結する予測であることを報知する報知部としてコンピュータ１００を機能させる。このため、この吐水装置の凍結防止プログラムは吐水装置１１が凍結する予測であることを報知部で報知することができる。このため、吐水装置１１の使用者は、報知部からの報知を把握することによって、吐水装置１１が凍結しないように予め対策をとることができる。
【００４６】
本発明は上記記述及び図面によって説明した実施例１に限定されるものではなく、例えば次のような実施例も本発明の技術的範囲に含まれる。
（１）実施例１では、吐水装置が洗面台に設けられているが、キッチン用のシンク、水洗式の小便器、又は水洗式の大便器等に吐水装置を設けてもよい。
【００４７】
今回開示された実施の形態は全ての点で例示であって制限的なものではないと考えられるべきである。本発明の範囲は、今回開示された実施の形態に限定されるものではなく、特許請求の範囲によって示され、特許請求の範囲と均等の意味及び範囲内での全ての変更が含まれることが意図される。
【符号の説明】
【００４８】
１１…吐水装置
５１１…入力機能（入力部）
５１２…受信機能（データ受信部）
５１３…予測機能（予測部）
５１４…指示機能（指示部）
５１５…報知機能（報知部）
【図１】
2020148017.tif 000003
【図２】
2020148017.tif 000004
【図３】
2020148017.tif 000005
【図４】
2020148017.tif 000006
【図５】
2020148017.tif 000007
【図６】
2020148017.tif 000008
【図７】
2020148017.tif 000009